(57)【要約】      （修正有）【課題】中子の支持を簡易な構成で、重量に耐えられる共に、正確に調整でき確実に支承でき、更に中子を支持したまま容易に型枠の清掃もできる中空のコンクリート成型品の中子支え装置を提供する。【解決手段】枠の非取り出し側となる小口板１Ｂの外側に支柱２を立設したこと、横方向に延伸した支持腕５の基部を上下揺動可能にこの支柱２に軸支する。中子１２の長さ方向に亘って横設固定した筒枠体１５を前記支持腕５へ緩挿して支持する。支持椀５の基部から一体に垂下したバランス板６の下端に突合する調節ピン１０を前記支柱２に設け、調節ピン１０の出入により支持腕５の支持角度の調節を行う。【選択図】図１
0003141359.tif 000002
【実用新案登録請求の範囲】
【請求項１】
型枠の非取り出し側となる小口板の外側に支柱を立設したこと、横方向に延伸した支持腕の基部を上下揺動可能にこの支柱に軸支し、中子の長さ方向に亘って横設固定した筒枠体をこの支持腕へ緩挿して支持すること、支持椀の基部から一体に垂下したバランス板の下端に突合する調節ピンを前記支柱に設け、調節ピンの出入により支持腕の支持角度の調節を行うことを特徴とする中空のコンクリート成型品の中子支え装置。
【請求項２】
支持腕の長さが筒枠体の中間部までしか延伸していないことを特徴とする請求項１記載の中空のコンクリート成型品の中子支え装置。
【請求項３】
平板を垂直に立てて横方向に延伸した支持腕としたこと、この支持腕を並設した支柱間に軸支したことを特徴とする請求項１又は２記載の中空のコンクリート成型品の中子支え装置。
【請求項４】
支持腕とバランス板とを別部材とし、バランス板の上部を支柱に型枠前後方向へ揺動可能に軸支し、バランス板の中間部に型枠前後方向に貫通孔を有する軸受部を形成し、支持腕の基端に連設した反転軸を前記軸受部に嵌挿し、反転軸を回転させることで中子が支持腕を軸として反転することを特徴とする請求項1乃至３のいずれかに記載の中空のコンクリート成型品の中子支え装置。
【請求項５】
反転軸がクランク部材を介して支持腕の基端に連設されていることを特徴とする請求項４記載の中空のコンクリート成型品の中子支え装置。
【考案の詳細な説明】
【技術分野】
【０００１】
本考案は、中空のコンクリート成型品を製造する時に必要な中子の支え装置に関するものである。
【背景技術】
【０００２】
従来の中子は、例えば特開２００４−１５６８号では、筒形の枠面をなす周壁の下面の全長に亘って開口部を有する中子枠と、前記開口部に介在し開口部を閉塞する押し板を備え、前記中子枠は両端部の天井部の内側面及び中子枠の天井部と連続する両側の側壁部の両端部の内側面に、補強板が夫々分離して内側に向けて突設され、中子枠と押し板間の長手方向に配設された軸棒の一端側の外周面に摺動自在に嵌挿された管軸と、この軸棒の他方の端部側とに前記押し板を昇降するリンク機構が夫々設けられ、前記管軸に軸棒の一端側と連結し、軸棒を管軸に対して進退する進退手段が連結され、この軸棒の進退と連動して前記押し板を昇降させたものがある。
【０００３】
また、実公平５−３３３０１号に開示されたコンクリート型枠の中子は、逆Ｕ字状の中子枠と、その中子枠の開口部に逆台形の平板枠を内側へ収納可能に設けて中子を構成し、中子の前後の該平板枠と中子の天井部間に、操作杆の操作により昇降する昇降リンクを設け、前記平板枠上に基端部の長孔を介して収縮リンクを軸支し、該収縮リンクの先端部を中子枠の左右側部に連結し、昇降リンクに連動して中子枠を収縮させる構成である。
【０００４】
そして、上記何れの中子も、脱型時に、収縮した中子を型枠から抜き取った後、成型品を脱型するか、或いは中子と共に成型品を脱型した後、中子を成型品から抜き取っているのである。
そこで、中子の脱着が不要で、脱型時（製品を型枠から取り出す時）に縮小した中子装置が型枠上に支持されたまま残留して脱型が短時間で行え、中子外皮の磨耗と損傷が軽減し、耐久性が向上するように工夫したものがある。
【０００５】
特開平７−９６５１４号の中空のコンクリート成型品の型枠は、中子装置を後方から、支持手段により上方・前後・左右方向に遊動可能に支持するものであり、その中子の支持手段は、後部妻板内側から支持梁を水平に突設して設け、該支持梁を中子装置の支持枠内に、上方・前後・左右方向に間隙を設けて遊動可能に挿入し、又は、支持梁は台枠から延設し後部妻板を潜り抜け可能に構成したものが示されている。
【考案の開示】
【考案が解決しようとする課題】
【０００６】
そこで、本考案は、中子の支持をより簡易な構成で、中子を含めた重量に耐えられる共に、正確に水平位置の調整ができて確実に支承もでき、更に中子を支持したまま容易に型枠の清掃もできるようにすることを目的とする。
【課題を解決するための手段】
【０００７】
本考案に係る中空のコンクリート成型品の中子支え装置の請求項1は、型枠の非取り出し側となる小口板の外側に支柱を立設したこと、横方向に延伸した支持腕の基部を上下揺動可能にこの支柱に軸支し、中子の長さ方向に亘って横設固定した筒枠体をこの支持腕へ緩挿して支持すること、支持椀の基部から一体に垂下したバランス板の下端に突合する調節ピンを前記支柱に設け、調節ピンの出入により支持腕の支持角度の調節を行うことを特徴とするものである。
【０００８】
請求項２の考案は、請求項1において、支持腕の長さが筒枠体の中間部までしか延伸していないことを特徴とするものであり、請求項３の考案は、請求項1又は２において、平板を垂直に立てて横方向に延伸した支持腕としたこと、この支持腕を並設した支柱間に軸支したことを特徴とするものである。
【０００９】
更に、請求項４の考案は、請求項１乃至３のいずれかにおいて、支持腕とバランス板とを別部材とし、バランス板の上部を支柱に型枠前後方向へ揺動可能に軸支し、バランス板の中間部に型枠前後方向に貫通孔を有する軸受部を形成し、支持腕の基端に連設した反転軸を前記軸受部に嵌挿し、反転軸を回転させることで中子が支持腕を軸として反転することを特徴とするものである。
【００１０】
そして、請求項５の考案は、請求項４において、反転軸がクランク部材を介して支持腕の基端に連設されていることを特徴とするものである。
【考案の効果】
【００１１】
請求項１の考案は、型枠の非取り出し側となる小口板の外側に支柱を立設したこと、横方向に延伸した支持腕の基部を上下揺動可能にこの支柱に軸支し、中子の長さ方向に亘って横設固定した筒枠体をこの支持腕へ緩挿して支持するため、中子の重量を支柱で支承することと成り、バランス板の下端に突合する調節ピンに重圧を受けることとなるけれど、支柱への軸支部分で梃子の作用を利用することと、バランス板の重量で相殺されることで、確実に支持ができる効果を有するのである。
【００１２】
また、支持椀の基部から一体に垂下したバランス板の下端に突合する調節ピンの出入により支持腕の支持角度の調節を可能にする効果を有し、中子を水平状態に維持して支持できる効果を発揮する。
【００１３】
梃子の作用とバランス板の存在、そして調節ピンの作用で、請求項２においては、支持腕の長さが筒枠体の中間部までしか延伸していなくても充分に安定した中子の支持が可能となり、部材の少量化と装置の軽量化を図れる効果を発揮する。
請求項３の考案は、平板を垂直に立てて横方向に延伸した支持腕とすること、この支持腕を並設した支柱間に軸支することで、強度的に充分で更なる部材の少量化と装置の軽量化を図れる効果を発揮する。
【００１４】
請求項４の考案は、支持腕とバランス板とを別部材とし、バランス板の上部を支柱に型枠前後方向へ揺動可能に軸支し、バランス板の中間部に型枠前後方向に貫通孔を有する軸受部を形成し、支持腕の基端に連設した反転軸を前記軸受部に嵌挿したものであるから、支持腕は軸受部でバランス板と連結し一体的と成っているため請求項１と同様の作用効果を得られるものである。
そして、反転軸を回転させることで中子が支持腕を軸として反転するため中子の下部面の清掃が容易であり、型枠の底面との間隔も広く開いて底面の清掃も容易となる効果を有するものと成る。
【００１５】
また、請求項５の考案のように、クランク部材を介して反転軸を支持腕の基端に連設することにより、型枠の底面との間隔をより広く開くことができ、一層底面の清掃が容易となる効果を発揮するのである。
【考案を実施するための最良の形態】
【００１６】
本考案の実施形態例を図面に基づいて説明する。
図１は本考案の一実施の形態を示す中子の構造や型枠の緊締装置等を省略した一部切欠いた側面図、図２は製品の非取り出し側となる一部省略した背面図である。
型枠は、枠台３、底板２１、側板２０Ａ、２０Ｂと小口板１Ａ，１Ｂ及び中子１２等により構成され、小口板１Ａ、１Ｂには中子１２の前後部と型組時に接合する接合孔を形成してあり、コンクリート製品は正面側の小口板１Ａから取り出される。
【００１７】
そこで、本中子支え装置について説明するに、背面側の小口板１Ｂの後方には支柱２、２が側板方向に対向して立設されている。
支柱２は、製品取り出しのために小口板１Ｂが、後方へ傾斜する際に干渉しない位置で、下端を型枠台３の下に敷設した脚４に固定して支承されている。
【００１８】
支柱２、２の間には、支持腕５とバランス板６が、支柱２，２に架設した心棒８で揺動可能に軸着されている。
すなわち、水平方向に伸びる支持腕５と垂下したバランス板６は逆Ｌ字状に、支持腕５の基部とバランス板６の上部が一体化し、その連結部７に穿設した軸穴９に心棒８が嵌挿して軸着されている。
【００１９】
そして、支持腕５の重量により心棒８を支点としてバランス板６は、小口板１Ｂの外側へ揺動しようとするのを、バランス板６の下端部と突合する調節ピン１０が受け、支持腕５を水平に支持している。
調節ピン１０は、図面ではボルトを利用し、支柱２、２間に挟着した軸受部１１のネジ穴に螺入し、小口板１Ｂ側へ突出した先端面の位置を進退させて支持腕５の水平角度を調節することができるものとなっている。
【００２０】
一方、中子１２の周囲は、中空形成用の複数の中子側枠で構成され、各中子側枠が中心方向へ拡縮して、枠組み又は成型コンクリート製品との離脱を行うものであり、中子側枠及び拡縮手段は、直接又は間接的に中子１２の前後妻板１３、１３や中間に設けた補強板１４、１４・・・に配設されて中子を構成し、本考案では公知の拡縮手段を有する適宜の中子を採用できる。
また、本実施の形態例では、この前後妻板１３、１３及び補強板１４、１４・・・を貫通して筒枠体１５が、中子１２の長さ方向に亘って横設して固定されている。
【００２１】
そして、中子１２の筒枠体１５内に前記支持腕５を緩挿し、中子１２を水平状態に設置して型組を行い、小口板１Ａ，１Ｂで中子１２の両端は固定されるものであるから、コンクリートの打ち込みや養生に支障はないものである。
また、製品の取り出し時には、中子枠を収縮させて製品の中空部とに隙間が空くため、横方向へ製品を引き抜いていけば、中子枠１２は支持腕５で支承したままで留めて置くことが出来るものである。
【００２２】
支持腕５の水平位置と中子１２の筒枠体１５の位置関係は、型組時における中子の適正位置となるように設計すればよく、図面では支持腕５は平板状で、緩挿する筒枠体１５は支持腕５の外形と相似形の稍大きな内形状を有する筒体と成っているが、緩挿する両者の外・内形が同形であれば良く、特定の形状に限定されるものではない。
また、支持腕５は筒枠体１５の長さに亘って緩挿している必要はなく、中子１２を支承かつ維持できる中間位置までの短い長さを有する支承腕５でも充分である。
【００２３】
図３は、他の実施の形態を示す一部切欠いた要部側面図、図４は同背面図であり、図１、２と共通する部材等には同じ符号を付している。
そこで、支持腕５とバランス板６とは別部材で構成され、バランス板６の上部が支柱２、２に型枠前後方向へ揺動可能に心棒８で軸支されている。
また、バランス板６の中間部に型枠前後方向に貫通孔１７を有する軸受部１６を形成してあり、支持腕５の基端に連設した反転軸１８をこの貫通孔１７に嵌挿したものである。
【００２４】
したがって、反転軸１８を回転させることで、中子１２が支持腕５を軸として反転することになり、中子１２の下部面の清掃が容易となる。
また、筒枠体１５の位置が中子側枠の中心から偏心しているため、中子１２の反転により底板２１との間隙が拡大し、底板２１の清掃も容易となるのである。
【００２５】
この場合、支持腕５の回転を筒枠体１５に伝達する必要があるため、緩挿する両者の外・内形が円形以外の形状に選択するものとなる。
また、反転軸１８にはストッパー等の係止手段を適宜付設する必要がある。
【００２６】
図５は、図３及び４の他の実施の形態例であり、反転軸１８がクランク部材１９を介して支持腕５の基端に連設されているものである。
反転軸１８と支持腕５がクランク部材１９で互いに偏心しているため、中子１２が反転軸１８を中心に回動し、中子１２と底板２１との位置関係を上下及び左右方向に変化させるものとなる。
【００２７】
尚、本考案は上記図面の実施形態に何ら限定されるものではなく、本考案の趣旨を逸脱しない範囲内で種々改良変形が可能である。
【図面の簡単な説明】
【００２８】
【図１】本考案の一実施の形態を示す型枠の一部切欠いた側面図である。
【図２】図１の小口板を省略した背面図である。
【図３】本考案の他の実施の形態を示す一部切欠いた要部側面図である。
【図４】図３の小口板を背面図である。
【図５】本考案の他の実施の形態を示す一部切欠いた要部側面図である。
【符号の説明】
【００２９】
１Ａ、１Ｂ    小口板
２            支柱
５            支持腕
６            バランス板
８            心棒
１０            調節ピン
１１、１６      軸受部
１２            中子
１３            妻板
１５            筒枠体
１８            反転軸
１９            クランク部材
２０Ａ，２０Ｂ  側板
２１            底板
【図１】
0003141359.tif 000003
【図２】
0003141359.tif 000004
【図３】
0003141359.tif 000005
【図４】
0003141359.tif 000006
【図５】
0003141359.tif 000007